(57)【要約】      （修正有）【課題】挿入されているカードを、別体の部品を用意することなく取り出すことのできる、簡易な構造を備えたカードコネクタを提供する。【解決手段】このカードコネクタ１Ｂは、ハウジング１０と、スライダ１２と、コイルばね１３と、ロックばね１４と、イジェクトピン１６とを備えている。このイジェクトピン１６は、図６（Ｂ）に示す挿抜方向（矢印Ｉ−Ｒの方向）に延びた姿勢で挿入の向き（矢印Ｉの向き）にスライドして、ロックばね１４によるスライダ１２のロックを解除する。また、抜取りの向き（矢印Ｒの向き）にスライドして、受容空間に受容されたカード２の挿入の向き（矢印Ｉの向き）の後端面２０３に沿って延びた姿勢となる（図６（Ａ））。【選択図】図６
2016197533.tif 000002
【特許請求の範囲】
【請求項１】
カードあるいはカードを載置したトレイからなる挿入体が、挿抜方向に挿抜自在に挿入の向きに挿し込まれるカードコネクタであって、
ハウジングと、
前記ハウジングとの間に前記挿入体を受け容れる受容空間を形成して該ハウジングを覆うシェルと、
挿入されてきた前記挿入体に押されて挿入の向きにスライドするスライダと、
前記スライダの挿入の向きへのスライドにより該スライダを抜取りの向きに付勢するように弾性変形するばね部材と、
前記挿入体が前記スライダを押しながら挿入され前記受容空間に受容された状態で前記スライダをロックするロック部材と、
前記挿抜方向にスライド自在に前記ハウジングに支持され、該挿抜方向に延びた姿勢で挿入の向きにスライドすることにより前記ロック部材による前記スライドのロックを解除し、抜取りの向きにスライドして、少なくとも一部が、前記受容空間に受容された状態の前記挿入体の挿入の向きの後端面に沿って延びる姿勢となるイジェクトピンとを備えたことを特徴とするカードコネクタ。
【請求項２】
前記後端面に沿って延びた姿勢のイジェクトピンを該姿勢にロックするロック構造を備えたことを特徴とする請求項１記載のカードコネクタ。
【請求項３】
前記イジェクトピンが、前記挿抜方向に延びる第１部分と、該第１部分の挿入の向きの後端部に軸支されて、該挿抜方向に延びる姿勢と前記後端面に沿って延びる姿勢との間で回転する第２部分とを有することを特徴とする請求項１または２に記載のカードコネクタ。
【請求項４】
前記イジェクトピンが、抜取りの向きに引き出された状態において前記挿抜方向に延びた姿勢と前記後端面に沿って延びた姿勢との間で回転自在となるように、該挿抜方向に延びた姿勢における挿入の向きの前端部が前記ハウジングに軸支されていることを特徴とする請求項１または２に記載のカードコネクタ。
【発明の詳細な説明】
【技術分野】
【０００１】
本発明は、カードあるいはカードを載置したトレイが差し込まれてカードをアクセスするカードコネクタに関する。
【背景技術】
【０００２】
カードコネクタには、カードを単独で挿し込むタイプのカードコネクタと、カードをトレイに載せてカードを載せたトレイを挿し込むタイプのカードコネクタが存在する。後述する本発明のカードコネクタは、それら双方のタイプのカードコネクタに適用可能である。そこで、以下では、カードとカードを載置したトレイとの双方を含む概念として、「挿入体」と称することにする。
【０００３】
次に、カードコネクタを、内部に受容されている挿入体を取り出すための構成の点から分類する。その１つとして、受容されている挿入体にさらに奥に押し込む向きの力を加えることによりロックが外れてばね力により押し出される、いわゆるプッシュ・プッシュタイプのカードコネクタが存在する。また、カードコネクタにイジェクトピンを差し込んでロックを解除することにより挿入体が押し出される、いわゆるピン挿入タイプのカードコネクタも存在する（特許文献１参照）。
【０００４】
プッシュ・プッシュタイプのカードコネクタは、挿入体取出機構を構成するための部品点数が多くコスト高である上に、その占有面積が大きく、カードコネクタの小型化が困難である。
【０００５】
一方、ピン挿入タイプのカードコネクタの場合、挿入体取出構造については、プッシュ・プッシュタイプと比べ部品点数が少なく、小さい占有面積で済む。ただし、その一方で、挿入体取出しのために別体のイジェクトピンを用意する必要があり、イジェクトピンの準備がないときは直ちには取り出すことができないという問題がある。
【先行技術文献】
【特許文献】
【０００６】
【特許文献１】特開２０１４−２８９４号公報
【発明の概要】
【発明が解決しようとする課題】
【０００７】
本発明は、上記事情に鑑み、受容されている挿入体を、簡易な構造で、かつ別体の部品を用意することなく取り出すことができるカードコネクタを提供することを目的とする。
【課題を解決するための手段】
【０００８】
上記目的を達成する本発明のカードコネクタは、カードあるいはカードを載置したトレイからなる挿入体が、挿抜方向に挿抜自在に挿入の向きに挿し込まれるカードコネクタであって、ハウジングと、ハウジングとの間に挿入体を受け容れる受容空間を形成してハウジングを覆うシェルと、挿入されてきた挿入体に押されて挿入の向きにスライドするスライダと、スライダの挿入の向きへのスライドによりスライダを抜取りの向きに付勢するように弾性変形するばね部材と、挿入体がスライダを押しながら挿入され受容空間に受容された状態でスライダをロックするロック部材と、挿抜方向にスライド自在にハウジングに支持され、挿抜方向に延びた姿勢で挿入の向きにスライドすることによりロック部材によるスライダのロックを解除し、抜取りの向きにスライドして、少なくとも一部が、受容空間に受容された状態の挿入体の挿入の向きの後端面に沿って延びる姿勢となるイジェクトピンとを備えたことを特徴とする。
【０００９】
本発明のカードコネクタは、上記のイジェクトピンを備えている。したがって、別体の部品を用意しなくても挿入体を取り出すことができる。また、いわゆるプッシュ・プッシュタイプのカードコネクタと比べ挿入体取出機構は簡易であり、小さい占有面積で済む。さらに、本発明のカードコネクタのイジェクトピンは、挿入体の挿入の向きの後端面に沿って延びる姿勢となるため、イジェクトピンが長く突き出たままとなることが避けられ、小型化が維持される。また、このイジェクトピンが挿入体の後端面に沿って延びる姿勢となることで挿入体の不用意な抜けが防止される。
【００１０】
ここで、本発明のカードコネクタにおいて、上記後端面に沿って延びた姿勢のイジェクトピンをその姿勢にロックするロック構造を備えることが好ましい。
【００１１】
このロック構造を備えると、イジェクトピンの姿勢が安定し、挿入体の抜けがさらに確実に防止される。
【００１２】
また、本発明のカードコネクタにおいて、イジェクトピンは、挿抜方向に延びる第１部分と、その第１部分の挿入の向きの後端部に軸支されて、挿抜方向に延びる姿勢と上記後端面に沿って延びる姿勢との間で回転する第２部分とを有するものであってもよい。
【００１３】
あるいは、このイジェクトピンは、抜取りの向きに引き出された状態において挿抜方向に延びた姿勢と後端面に沿って延びた姿勢との間で回転自在となるように、挿抜方向に延びた姿勢における挿入の向きの前端部がハウジングに軸支されているものであってもよい。
【発明の効果】
【００１４】
以上の本発明によれば、簡易な構造で、かつ別体の部品を用意することなく挿入体を取り出すことができる。
【図面の簡単な説明】
【００１５】
【図１】本発明の第１実施形態のカードコネクタの平面図である。
【図２】シェルの上面のみを取り外してハウジング内側を示した平面図である。
【図３】シェルの上面のみを取り外してハウジング内側を示した平面図である。
【図４】図１〜図３に示すカードコネクタへのカードの挿込みの過程を示した図である。
【図５】図１〜図３に示すカードコネクタからのカードの抜取りの過程を示した図である。
【図６】本発明の第２実施形態のカードコネクタの平面図である。
【図７】本発明の第３実施形態のカードコネクタの平面図である。
【発明を実施するための形態】
【００１６】
以下、本発明の実施の形態を説明する。
【００１７】
図１は、本発明の第１実施形態のカードコネクタの平面図である。
【００１８】
また、図２，図３は、シェルの上面のみを取り外してハウジング内側を示した平面図である。ここで、図２と図３とでは、イジェクトピン１５の姿勢が異なっている。
【００１９】
このカードコネクタ１Ａには、カード２（図４参照）が、挿抜方向（矢印Ｉ−Ｒ方向）に挿抜自在に挿入の向き（矢印Ｉの向き）に挿し込まれる。そして、このカードコネクタ１は、挿し込まれたカード２を受容する。
【００２０】
このカードコネクタ１Ａは、不図示の回路基板に搭載され、受容したカード２と回路基板とを電気的に相互接続する。
【００２１】
このカードコネクタ１Ａは、樹脂製のハウジング１０と、金属製のシェル２０を備えている。シェル２０は、ハウジング１０を覆って、そのハウジング１０との間に、カード２用の挿入口１０１を形成している。また、このシェル２０は、ハウジング１０との間に、挿入口１０１から挿し込まれてきたカード２を受け容れる受容空間１０２（図２，図３参照）を形成している。
【００２２】
図２，図３に示すように、ハウジング１０には、複数のコンタクト１１がインサートモールドされている。これらのコンタクト１１は、受容空間２０１に受容されたカード２の裏面に形成されているパッド２０１（図４参照）と接触する。また、これらのコンタクト１１は、回路基板に半田接続される半田接続部１１１を有する。受容空間１０１に受容されたカード２は、これらのコンタクト１１を介して回路基板に電気的に接続される。
【００２３】
また、このカードコネクタ１Ａは、スライダ１２とコイルばね１３とを有する。スライダ１２は、挿入されてきたカード２の挿入の向き（矢印Ｉの向き）の先端面に接する当接部１２１を有する。このスライダ１２は、ハウジング１０に、挿抜方向（矢印Ｉ−Ｒ方向）にスライド自在に支持されている。そして、このスライダ１２は、カード２が挿入されると、そのカード２の先端面２０２で当接部１２１が押されて、挿入の向き（矢印Ｉの向き）にスライドする。
【００２４】
コイルばね１３は、ハウジング１０とスライド１２との間に配置されている。そして、スライダ１２がカード２に押されて挿入の向き（矢印Ｉの向き）にスライドすると、コイルばね１３は、そのスライダ１２により押し縮められて、スライダ１２を抜取りの向き（矢印Ｒの向き）に付勢する。
【００２５】
また、このカードコネクタ１Ａには、ロックばね１４が備えられている。このロックばね１４は、挿入の向き（矢印Ｉの向き）の後側がシェル２０から延びており、挿入の向き（矢印Ｉの向き）の前側に向かうとともにハウジング１０の内側に向かって、片持ち染状に延びている。なお、ロックばね１４は、ハウジング１０に固定されていてもよい。
【００２６】
スライダ１２は、ロックばね１４に向かって突き出たロック部１２２を有する。
【００２７】
挿入されてきたカード２に押されてスライダ１２が挿入の向き（矢印Ｉの向き）に移動すると、ロックばね１４は、スライダ１２のロック部１２２に押されて外方（図２における右方）へ一旦弾性変形する。そして、カード２が受容空間１０２の正しい位置まで挿し込まれるとロックばね１４の変形が解除されて、ロックばね１４が、ロック部１２２の挿入の向き（矢印Ｉの向き）の後端の壁部１２３に接する。これにより、スライダ１２が押し込まれた状態にロックされる（図４（Ｂ）参照）。
【００２８】
また、このカードコネクタ１Ａには、イジェクトピン１５が備えられている。このイジェクトピン１５は、第１部分１５１と第２部分１５２を有する。第１部分１５１は、挿抜方向（矢印Ｉ−Ｒ方向）に延びている。また、第２部分１５２は、第１部分１５１の挿入の向き（矢印Ｉの向き）の後端部に軸支されている。この第２部分１５２は、図２に示す横向きに延びる姿勢と、図３に示す、挿抜方向（矢印Ｉ−Ｒ方向）に延びる姿勢との間で回転する。図２に示す、横向きに延びる姿勢は、カード２が受容空間１Ａに受容されている場合における、そのカード２の挿入の向き（矢印Ｉの向き）の後端面２０３に沿って延びる姿勢である（図４（Ｃ）参照）。
【００２９】
第２部分１５２には、図２，図３に示されている、上面が窪んで、その裏面である下面が突き出た係止部１５３が形成されている。一方、ハウジング１０には、図２に示す姿勢にある第２部分１５２の係止部１５３と重なる位置に突き出たロック部１０３（図３参照）が設けられている。このロック部１０３には、上向きに突き出たＬ字形状の突条１０３ａが形成されている。イジェクトピン１５の第２部分１５２を、図２に示す横に延びる姿勢に回転させる。すると、その第２部分１５２に形成されている係止部１５３がロック部１０３の突条１０３ａと干渉し、第２部分１５２が横に延びる姿勢にロックされる。
【００３０】
以下では、図２に示す、第１部分１５１が挿抜方向（矢印Ｉ−Ｒ方向）に延び第２部分１５２が横に延びる姿勢を「ロック姿勢」と称する。これに対し、図３に示す、第１部分１５１と第２部分１５２の双方が挿抜方向（矢印Ｉ−Ｒ方向）に延びた姿勢を「挿入姿勢」と称する。
【００３１】
このイジェクトピン１５は、ハウジング１０に支持されていて、図３に示す挿入姿勢にあるときに挿抜方向（矢印Ｉ−Ｒ方向）にスライド自在となっている。
【００３２】
イジェクトピン１５の第２部分１５２を第１部分１５１と一直線となるように立てることで、このイジェクトピン１５を図３に示す挿入姿勢とする。そして、このイジェクトピン１５を、挿入の向き（矢印Ｉの向き）に、ハウジング１０に挿し込む。すると、このイジェクトピン１５がロックばね１４を外向きに弾性変形させる。これにより、ロックばね１４がスライダ１２の壁部１２３に接してスライダ１２がロックされていた場合における、そのロックが解除される。ロックが解除されたスライダ１２は、コイルばね１３に押されて抜取りの向き（矢印Ｒの向き）に移動する。この移動により、カード２が受容空間１０２に受容されていたときは、そのカード２の挿入の向きの先端面２０２がスライダ１２の当接部１２１で押される。すなわち、このカード２は、スライダ１２の抜取りの向き（矢印Ｒの向き）へのスライドに伴って抜取りの向きに移動し、挿入口１０１から一部が突き出た状態となる。その後は、カード２の突き出た部分を、指先あるいはピンセントなどの冶具で摘んで引き出すことにより、カード２をカードコネクタ１Ａから抜き取ることができる。
【００３３】
図４は、図１〜図３に示すカードコネクタへのカードの挿込みの過程を示した図である。
【００３４】
イジェクトピン１５を図３にも示す挿入姿勢にして挿入口１０１（図１参照）を開放する。そして、その挿入口１０１からカード２を挿し込んでいく。すると、カード２の先端面２０２がスライダ１２の当接部１２１に突き当たる（図４（Ａ））。
【００３５】
カードをさらに奥に挿し込んでいくと、スライダ１２の当接部１２１がカード２で押されて、スライダ１２が挿入の向き（矢印Ｉの向き）にスライドする。これによりコイルばね１３が押し縮められる。
【００３６】
カード２が受容空間１０２（図２，図３参照）の正しい位置まで挿し込まれると、ロックばね１４により、スライダ１２がその位置にロックされる（図４（Ｂ））。
【００３７】
その後、イジェクトピン１５を、図２にも示すロック姿勢とする（図４（Ｃ））。前述の通り、イジェクトピン１５は、このロック姿勢になると、ハウジング１０のロック部１０３によりその姿勢にロックされる。また、イジェクトピン１５がこのロック姿勢にあるときは、そのイジェクトピン１５の第２部分１５２はカード２の後端面２０３に沿って延びた状態にある。これにより、カードコネクタ１Ａからのカード２の不用意な抜けが防止される。また、イジェクトピン１５のロック姿勢においては、第１部分１５１の先端がロックばね１４から充分に離間している。このため、ロックばね１４が第１部分によって不用意にロック解除されることはない。
【００３８】
図５は、図１〜図３に示すカードコネクタからのカードの抜取りの過程を示した図である。
【００３９】
カードコネクタ１Ａに受容されているカード２の抜取りにあたっては、イジェクトピン１５を、図３にも示す挿入姿勢に回転させる（図５（Ａ））。そして、そのイジェクトピン１５を挿入の向き（矢印Ｉの向き）に挿し込んでいく。すると、そのイジェクトピン１５がロックばね１４に干渉して、そのロックばね１４を外向きに弾性変形させ、スライダ１２のロックを外す（図５（Ｂ））。
【００４０】
ロックが外れたスライダ１２は、コイルばね１３に押されて抜取りの向き（矢印Ｒの向き）にスライドする。そのとき、カード２は、そのスライダ１２に押されてスライダ１２とともに抜取りの向き（矢印Ｒの向き）に移動する（図５（Ｃ））。
【００４１】
その後、カード２は、指先あるいはピンセット等の冶具により、カードコネクタ１Ａから抜き取られる。
【００４２】
以上で、第１実施形態についての説明を終了し、次に、第２実施形態以降の実施形態について説明する。なお、以下に説明する第２実施形態以降の実施形態の説明にあたり、第１実施形態と同一の要素については第１実施形態において付した符号と同一の符号を付して示し、第１実施形態との相違点について説明する。
【００４３】
図６は、本発明の第２実施形態のカードコネクタの平面図である。この図６における（Ａ）と（Ｂ）は、イジェクトピンの姿勢の相違である。
【００４４】
なお、この図６では、シェル２０（図１参照）を取り外してハウジング１０の内側を示している。
【００４５】
この図６に示す第２実施形態のカードコネクタ１Ｂは、図１〜図３に示す第１実施形態のカードコネクタ１Ａと比べ、イジェクトピンの形状と、そのイジェクトピンのロック構造が相違している。
【００４６】
この図６に示す第２実施形態におけるイジェクトピン１６は、図２，図３に示す第１実施形態のイジェクトピン１５と同様、第１部分１６１と第２部分１６２とを有する。第１部分１６１は、第１実施形態のイジェクトピン１５の第１部分１５１と同一である。すなわち、この第１部分１６１は、挿抜方向（矢印Ｉ−Ｒ方向）に延びている。一方、第２部分１６２は、第１実施形態のイジェクトピン１５の第２部分１５２よりも長い長さを有する。この第２部分１６２は、第１部分１６１の挿入の向き（矢印Ｉの向き）の後端部に軸支されている。この第２部分１６２は、図６（Ａ）に示す横向きに延びる姿勢と、図６（Ｂ）に示す挿抜方向（矢印Ｉ−Ｒ方向）に延びる姿勢との間で回転する。図６（Ａ）に示す横に延びる姿勢は、上述の第１実施形態の場合と同様、カード２が受容空間１０２に受容されている場合における、そのカード２の挿入の向き（矢印Ｉの向き）の後端面２０３に沿って延びる姿勢である。
【００４７】
この第２部分１６２は、第１実施形態の第２部分１５２に設けられていた係止部１５３に相当する係止部は設けられていない。また、これに対応して、ハウジング１０には、第１実施形態のハウジング１０に設けられていたロック部１０３に相当するロック部は設けられていない。一方、この第２実施形態では、第２部分１６２の、第１部分１６１に軸支されている端部とは反対側の端部にフック部材１６３が備えられている。このフック部材１６３は、図６（Ａ）に示すように、第２部分１６２を横に延びる姿勢に回転させたときに、ハウジング１０の側面（シェル２０（図１参照）が備えられているときはそのシェル２０の側面）の凹部（図示せず）に係止して弾性変形する。これにより、第２部分１６２は、図６（Ａ）に示す横に延びた姿勢にロックされる。図６（Ａ）の状態にあるフック部材１６３あるいは第２部分１６２に、抜取りの向き（矢印Ｒの向き）の力を加えると、フック部材１６３によるロックが外れる。そこで、第２部分１６２を図６（Ｂ）に示す挿抜方向に延びる姿勢に回転させてイジェクトピン１６を挿し込むことにより、カード２（図４参照）を取り出すことができる。
【００４８】
図７は、本発明の第３実施形態のカードコネクタの平面図である。
【００４９】
この図７の（Ａ）と（Ｂ）は、シェル２０の有無の相違とカード２の有無の相違である。また、この図７の（Ｃ）と（Ｄ）もシェル２０とカード２の有無の相違である。また、図７（Ａ），（Ｂ）と図７（Ｃ），（Ｄ）は、イジェクトピン１７の姿勢の相違である。
【００５０】
この図７に示す第３実施形態のイジェクトピン１７は、一本の棒状の部材である。すなわち、このイジェクトピン１７は、上述の第１実施形態のイジェクトピン１５や第２実施形態のイジェクトピン１６のように第１部分と第２部分とには分かれていない。
【００５１】
この図７に示す第３実施形態のカードコネクタ１Ｃには、そのハウジング１０に、挿抜方向（矢印Ｉ−Ｒ方向）に延びる長穴１８が形成されている。そして、イジェクトピン１７は、図７（Ｃ），（Ｄ）に示す挿抜方向（矢印Ｉ−Ｒ方向）に延びる姿勢における挿入の向き（矢印Ｉの向き）の先端部が、その長穴１８にスライド自在に軸支されている。これにより、このイジェクトピン１７は、挿抜方向（矢印Ｉ−Ｒ方向）に延びる姿勢において、長穴１８に案内されて挿抜方向（矢印Ｉ−Ｒ方向）にスライド自在となっている。また、このイジェクトピン１７は、抜取りの向き（矢印Ｒの向き）に引き出された状態において、図７（Ａ），（Ｂ）に示した横に延びる姿勢と図７（Ｃ），（Ｄ）に示した挿抜方向（矢印Ｉ−Ｒ方向）に延びる姿勢との間で回転自在となっている。図７（Ａ），（Ｂ）に示した横に延びる姿勢は、上述の第１実施形態および第２実施形態の場合と同様、受容空間に受容されているカード２の後端面２０３に沿って延びる姿勢である。
【００５２】
この第３実施形態のカードコネクタ１Ｃには、シェル２０にロック部２１１が形成されている。このロック部２１１は、上面が窪み、下面側に突き出た形状を有する。
【００５３】
一方、イジェクトピン１７には、そのイジェクトピン１７を図７（Ａ），（Ｂ）に示す横に延びる姿勢に回転させたときの、シェル２０のロック部２１１と重なる位置に、係止部１７１が形成されている。この係止部１７１は、イジェクトピン１７の延びる方向に延びる突条からなる峰部１７１ａと、その峰部１７１ａの両側に形成された傾斜部１７１ｂ，１７１ｃとで形成されている。
【００５４】
このイジェクトピン１７を、図７（Ｃ），（Ｄ）に示す姿勢から図７（Ａ），（Ｂ）に示す姿勢に回転させる。すると、イジェクトピン１７の係止部１７１が、シェル２０のロック部２１１に係止される。これにより、イジェクトピン１７は、図７（Ａ），（Ｂ）に示す横に延びる姿勢にロックされる。図７（Ａ），（Ｂ）に示す横に延びる姿勢にあるイジェクトピン１７に抜取りの向き（矢印Ｒの向き）の力を加えるとそのロックが外れる。そして、そのイジェクトピン１７を図７（Ｃ），（Ｄ）に示す挿抜方向に延びる姿勢に回転させてイジェクトピン１７を挿し込むことにより、カード２（図５参照）を取り出すことができる。
【００５５】
以上の第１実施形態から第３実施形態に例示するように、イジェクトピンのロック構造として様々な形態を採用することができる。また、イジェクトピンは、第１実施形態や第２実施形態に示すように第１部分と第２部分とで構成することもでき、第３実施形態に示すように１本の棒状の部材で構成することもできる。
【００５６】
これら第１実施形態から第３実施形態に例示するように、本発明のカードコネクタによれば、いわゆるプッシュ・プッシュタイプのカードコネクタと比べ比較的簡易な抜取り構造であって、別体の部材あるいは冶具を用意することなく、カードコネクタ内からカードを押し出すことができる。
【００５７】
なお、ここでは、カードを直接に挿し込むタイプのカードコネクタについて説明した。ただし、本発明は、カードをトレイに載せ、そのカードを載せたトレイを挿し込むタイプのカードコネクタについてもそのまま適用することができる。
【符号の説明】
【００５８】
１Ａ，１Ｂ，１Ｃ  受容空間
１０１  挿入口
１０２  受容空間
１０３  ロック部
１０  樹脂製のハウジング
１１  コンタクト
１２  スライダ
１２１  当接部
１２２  ロック部
１２３  壁部
１３  コイルばね
１４  ロックばね
１５，１６，１７  イジェクトピン
１５１  第１部分
１５２  第２部分
１５３  係止部
１６１  第１部分
１６２  第２部分
１６３  フック部材
１７１  係止部
１８  長穴
２０  金属製のシェル
２１１  ロック部
【図１】
2016197533.tif 000003
【図２】
2016197533.tif 000004
【図３】
2016197533.tif 000005
【図４】
2016197533.tif 000006
【図５】
2016197533.tif 000007
【図６】
2016197533.tif 000008
【図７】
2016197533.tif 000009